(57)【要約】【課題】基礎杭となる金属管の管壁に、正しく中心を通ってボルト孔を穿設し、あるいは平面視で正しく等分された中心角を有して容易に複数のボルト孔を穿設出来る工具を開発することを課題とする。【解決手段】鋳鉄、鋼鉄などの金属製基礎杭１の外周に着脱自在に固定される環体１０の外面に、中心軸と直交して貫通する方向に基礎杭の接続用ボルト孔穿孔工具用の係合金具１５が設けられ、この金具１５に接続用ボルト孔の穿孔工具１４が、穿孔軸を金属製基礎杭１の直径方向に向けて着脱自在に取付けられてなる。【選択図】  図１
2004261922.tif 000002
【特許請求の範囲】
【請求項１】
鋳鉄、鋼鉄などの金属製基礎杭の外周に着脱自在に固定される環体の外面に、前記基礎杭の中心軸と直交して貫通する方向に接続用ボルト孔の穿孔工具を支持する係合金具が設けられ、該係合金具に接続用ボルト孔の穿孔工具が、穿孔軸を前記金属製基礎杭の直径方向に向けて着脱自在に取付けられてなる基礎杭接続用のボルト孔穿孔装置。
【請求項２】
請求項１の基礎杭接続用のボルト孔穿孔装置において、基礎杭の接続用ボルト孔穿孔工具用の係合金具が環体外周に周方向に沿って複数個設けられ、かつ、各係合金具は少なくとも接続用ボルトの直径より大きい距離だけ軸方向に隔たった位置に取り付けられてなる基礎杭接続用のボルト孔穿孔装置。
【発明の詳細な説明】
【０００１】
【発明の属する技術分野】
この発明は、基礎杭接続用のボルト孔穿孔装置に関する。
【０００２】
【従来の技術】
建築用の基礎杭として、鋳鉄管や鋼管の先端に螺旋条を形成した回転埋設工法用の基礎杭が知られている（特許文献１）。
【０００３】
上記鋳鉄管の基礎杭は管の一端に形成した受口に他の管の挿口を挿入してボルトなどで接続していけば容易に基礎杭を長尺化できるので、深基礎の施工が容易にできる利点を有する。
【０００４】
そして、ボルトによる基礎杭の接続には、従来、図６に示すように既に打ち込んだ基礎杭１の地表Ｇから突き出た挿口２に、新規基礎杭１の受口３を被せるようにして接続し、受口３外面部分に穿孔工具（図示省略）で、図７に示すように直径方向に貫通孔４を穿設し、ここに接続ボルト５を挿入して基礎杭１、１同士を軸方向に接続した上でナット７を締め付けて締結することが行われていた。
【０００５】
【特許文献１】
特開２００１−９８５４５号公報、図３、図４
【０００６】
【発明が解決しようとする課題】
しかし、管を接続固定するためのボルト孔４は、中心軸１ａに正しく直交する方向に穿設する必要があるが、この穿設作業は通常現場作業となるので正しい方向にボルト孔を穿設するのは容易でない問題があった。特に、図６に示したように先端に螺旋条６を有する基礎杭１の場合、回転トルクはボルトを介して伝達されるので、ボルト貫通部分に加わる負荷を均等にするため、ボルト貫通孔は正しく中心を通る直径方向に穿設する必要がある。
【０００７】
さらに、複数本のボルトで基礎杭１を接続する場合は、それぞれのボルトから基礎杭の管壁に加えられる外力が全周に渡って均一に分散されるよう、ボルトの貫通軸線が平面視で円周を等分するように穿設されていることが望ましい。
【０００８】
この発明は、上記のように正しく中心を通ってボルト孔を穿設し、あるいは平面視で正しく等分された中心角を有して容易に複数のボルト孔を穿設出来る工具を開発することを課題としてなされたものである。
【０００９】
【課題を解決するための手段】
請求項１の基礎杭接続用のボルト孔穿孔装置は、鋳鉄、鋼鉄などの金属製基礎杭の外周に着脱自在に固定される環体の外面に、前記基礎杭の中心軸と直交して貫通する方向に接続用ボルト孔の穿孔工具を支持する係合金具が設けられ、該係合金具に接続用ボルト孔の穿孔工具が、穿孔軸を前記金属製基礎杭の直径方向に向けて着脱自在に取付けられてなるものである。
【００１０】
従って、この基礎杭接続用のボルト孔穿孔装置によれば、環体を基礎杭の外周に取付け、この環体外周の係合金具に穿孔工具を取り付ければ、穿孔軸が基礎杭の中心軸を通って正しく穿設されるので、施工現場であっても正しくボルト孔が穿設できる。
【００１１】
請求項２の基礎杭接続用のボルト孔穿孔装置は、請求項１の基礎杭接続用のボルト孔穿孔装置において、基礎杭の接続用ボルト孔穿孔工具用の係合金具が環体外周に周方向に沿って複数個設けられ、かつ、各係合金具は少なくとも接続用ボルトの直径より大きい距離だけ軸方向に隔たった位置に取り付けられてなるものである。
【００１２】
この基礎杭接続用のボルト孔穿孔装置によれば、複数のボルト孔を穿設する場合、係合金具に穿孔工具を取り付けるだけで次々とボルト孔が穿設できる。また、穿孔工具が干渉しなければ二つ以上のボルト孔であっても同時に穿孔も可能となる。
【００１３】
【発明の実施の形態】
次に、この発明の実施の形態である基礎杭接続用のボルト孔穿孔装置を説明する。
【００１４】
図１は、この発明の実施の形態である基礎杭接続用のボルト孔穿孔装置の側面図、図２は同平面図である。
図１において１０は、基礎杭１の外周に着脱自在に固定される環体を示し、図３、図５に示すように二つの半割体１１、１１の一端を蝶番１２で連接し、他端にクランプ装置１３を設け、図１、図２に示すように基礎杭１の受口３外周に巻きつけて開口部をクランプ装置１３でクランプすることにより固定できるようにされている。なお、このクランプ装置１３はトグル機構を用いたものが使用され、一方の半割体１１の縁に設けた留金具１３ａに引っ掛けたフック１３ｂの他端を、支点１３ｃで支持されたレバー１３ｄの支点１３ｃより径方向外側位置１３ｅで連接し、レバー１３ｄを矢印方向へ倒すことで二つの半割体１１、１１が基礎杭１外周に強く巻きつき固定するようにされている。
【００１５】
そして、この環体１０の外周には、図２、図３に示すように、ボルト孔穿孔工具１４の係合金具１５が設けられている。
この係合金具１５は、環体１０の外面に径方向外側に突設された支持板１７、１７と、この支持板１７、１７の先端間に二枚の板体２１、２１が直交するように配置され、板体２１、２１間の隙間２０が、ガイド１８の脚部１９を受容する嵌合部とされ、このガイド１８上に穿孔工具１４が取付けられるように構成されている。なお、図示例の場合、係合金具１５は、環体１０の外周に平面視で中心角が９０°をなすよう二箇所に設けられている。
【００１６】
なお、このように二箇所以上の複数箇所にわたって係合金具１５、１５を取り付ける場合、それぞれの係合金具１５…は、図１、図４に示すように接続用ボルト５の直径より大きい距離ｄだけ軸方向に隔たって設けられる。
【００１７】
次に、ガイド１８は、係合金具１５に脚部１９を介し、環体１０の中心軸１６に対し直交姿勢に固定されるようにされ、ガイド１８の側面には、ガイド溝２２が設けられ、ガイド１８の上面からまたぐようにしてガイド溝２２にスライダ２３が摺嵌され、ガイド１８に沿って摺動移動可能にされている。
【００１８】
ガイド１８の底面にはラック２４が設けられ、スライダ２３下面に軸支したピニヨン２５がラック２４に噛み合うようにされ、ハンドル２６でピニヨン２５を回転操作することによってスライダ２３がガイド１８に沿って進退するようにされている。
【００１９】
このスライダ２３に穿孔工具１４が取付けられ、先端にホールソー２７を取り付けた回転軸２８が基礎杭１に直径方向へ向き、ハンドル２６の操作によってホールソー２７が基礎杭１表面に切り込んでいくようにされている。
【００２０】
なお、図中２９は穿孔工具１４の回転軸２８の中間軸受を示し、回転軸の振れをなくすために設けられたものである。
なお、穿孔工具１４そのものは、通常使用されているものが使用され、スライダ２３上面に適宜手段で固定される。
【００２１】
次に、この発明の基礎杭接続用のボルト孔穿孔装置の使用方法について説明する。
図５に示すように、環体１０を開き、挿口２に受口３を被せて接続した基礎杭１の外周、図示例の場合は挿口２の外周で受口３の開口端３ａに接する位置に、図１に示すように環体１０巻きつけクランプ装置１３を締付け、固定する。次いで、係合金具１５に脚部１９を差し込んでガイド１８を取付ける。ガイド１８には予めスライダ２３、及び穿孔工具１４が取付けられているので、穿孔工具１４の回転軸２８の向き、即ちボルト孔の穿孔方向は環体１０の中心軸１６に対して直交する方向となる。
【００２２】
そして、穿孔工具１４を駆動し、ハンドル２６を操作してホールソー２７を基礎杭１の外面に切り込ませていくのである。
このとき、穿孔工具１４はガイド１８により環体１０に対し中心軸方向へ支持され、また環体１０は基礎杭１の外周に隙間無く固定されているので、ボルト孔は正しく基礎杭１の中心を通って貫設される。
【００２３】
なお、二以上のボルト孔を穿設する場合は、一つのボルト孔穿設後、別の係合金具１５にガイド１８を取り付けて同様に穿孔する。
このときに穿孔されるボルト孔は、基礎杭１の軸方向に対して、少なくともボルトの直径より大きく離れているので、同時に挿入されるボルトが互いに干渉してしまうことはない。
【００２４】
また、二つのガイド１８をそれぞれの係合金具１５に取り付け同時にボルト孔を穿設することも出来る。
【００２５】
【発明の効果】
以上説明したように、この発明の基礎杭接続用のボルト孔穿孔装置によれば、ボルト孔を基礎杭外周に穿設する場合、環体とガイドにより穿孔装置は正しく基礎杭の直径方向に支持されるので、現場施工であっても基礎杭に適正なボルト孔を穿設することができ、しかも穿孔中、穿孔工具はガイドによってしっかりと支持されるので穿設されたボルト孔の軸線も狂うことがないなどの効果を有する。
【図面の簡単な説明】
【図１】この発明の実施の形態である基礎杭接続用のボルト孔穿孔装置の側面図である。
【図２】この発明の実施の形態である基礎杭接続用のボルト孔穿孔装置の平面図である。
【図３】環体の平面図である。
【図４】環体の側面図である。
【図５】開いた状態の環体の平面図である。
【図６】金属管の基礎杭の説明斜視図である。
【図７】金属管の基礎杭の説明断面図である。
【符号の説明】
１    直管
２    挿口
３    受口
４    ボルト孔
５    ボルト
６    螺旋条ボルト
７    ナット
１０    環体
１１    半割体
１２    蝶番
１３    クランプ装置
１４    ボルト孔穿孔工具
１５    係合金具
１７    支持板
１８    ガイド
１９    脚部
２０    隙間
２１    板体
【図１】
2004261922.tif 000003
【図２】
2004261922.tif 000004
【図３】
2004261922.tif 000005
【図４】
2004261922.tif 000006
【図５】
2004261922.tif 000007
【図６】
2004261922.tif 000008
【図７】
2004261922.tif 000009